(57)【特許請求の範囲】
【請求項１】
口部、胴部及び底部を有するボトル状をなし、容器の外殻を形成する外層体と、該外層体の内側に収められる減容変形自在な内層体とを備え、
ブロー成形の割り金型による食い切りによって前記底部に形成されるピンチオフ部に、前記外層体を貫通する直線状のスリットを有する二重容器において、
前記底部は、前記スリットの延在方向における少なくとも中央の領域を、該スリットの両側から挟み込むように配置された、前記口部側に向けて凹となる一対の挟み込み凹部を有し、
前記外層体の底部を形成する底壁は、接地面となる外縁部と、前記外縁部の径方向内側で口部側に向けて凹となる凹部とを有し、
前記挟み込み凹部は、前記底壁の凹部において、さらに前記口部側に向けて凹となるように形成されていることを特徴とする二重容器。
【請求項２】
前記一対の挟み込み凹部はそれぞれ、前記スリットに平行、かつ、容器の中心軸線に平行に延びる内側平面を有し、それぞれの該内側平面で前記スリットを両側から挟み込む、請求項１に記載の二重容器。
【請求項３】
前記底部は、前記ピンチオフ部において、前記スリットの延在方向における両端部外側に、該スリットの延長線に沿って延在する一対の補強リブを備える、請求項１または２に記載の二重容器。
【発明の詳細な説明】
【技術分野】
【０００１】
本発明は、容器の外殻を形成する外層体と、該外層体の内側に収められる減容変形自在な内層体とを備え、内容物の吐出に伴って内層体のみを減容させる二重容器に関するものである。
【背景技術】
【０００２】
化粧水などの化粧料や、シャンプーやリンスあるいは液体石鹸、また食品調味料などを収納する容器としては、容器の外殻を形成する外層体と、該外層体の内側に収められる減容変形自在な内層体とを備え、外層体に、内層体との相互間に通じる外気導入用の開口を設けて、内容物の吐出に伴って内層体のみを減容させるようにした二重容器（デラミ容器とも言う）が知られている。
【０００３】
また、内容物の吐出方式としては、外層体の口部に装着したポンプによるものや、主に外層体の胴部をスクイズすることによるもの、更に、主に内容物の自重によるもの（例えば特許文献１参照）等がある。ポンプを利用する容器では、構造が複雑になる上、コストの増大が避けられず、また、外層体のスクイズを利用する容器では、構造が比較的簡素化されるものの、内層体のみを減容させる為には、外層体への押圧時には外気導入用の開口を閉じ、押圧を解除すると開く外気導入弁を設ける必要がある。一方、内容物の自重を利用する容器では、構造も簡単である上、外気導入弁も不要であることから、コスト削減にも優れている。
【０００４】
特に、このような内容物の自重を利用する容器では、合成樹脂製の外層体と、外層体に対して相溶性が低い合成樹脂にて形成される内層体とを積層して形成したパリソンを、ブロー成形することによって形成する場合には、ブロー成形の割り金型による食い切りによって底部に形成されるピンチオフ部を、そのまま外気導入孔として用いることができる。すなわち、ピンチオフ部において外層体の底壁を割ることで内層体を外層体から剥離させ、ピンチオフ部にスリット状の外気導入孔を設けることができる。
【先行技術文献】
【特許文献】
【０００５】
【特許文献１】特開２００８−２０７８６０号公報
【発明の概要】
【発明が解決しようとする課題】
【０００６】
ところで、上記のようにピンチオフ部にスリット状の外気導入孔を設ける場合、成形後のピンチオフ部において、外層体から内層体を剥離した部分に外気導入孔の開口が形成されるため、その開口幅は、内層体の厚さに対応したものとなる。ここで、容器のブロー成形において、筒状のパリソンを金型のピンチオフ部で食い切る際に、図４（ａ）に示すようにパリソンＰが傾斜した状態で切断してしまうと、図４（ｂ）に示すようにパリソンＰが適切な角度で切断された場合に比べて、切断面における内層体２０の厚さＴが大きくなり、その結果、形成される外気導入孔の開口幅が所期したよりも大きくなってしまうという問題があった。
【０００７】
また、例えば、ピンチオフ部において外気導入孔に隣接する位置に補強用のリブを設け、このリブの一方側の側面から他方側の側面に向けて食い込み部を形成するような場合においても、金型を閉じる際に、食い込み部成形用のピンに押されてパリソンが傾くことがある。この場合にも、上記と同様に、外気導入孔の開口幅が大きくなってしまう。
【０００８】
そして、上記のように外気導入孔の開口幅が大きくなった場合、内容物の自重では吐出しきれなかった内容物を取出すために外層体をスクイズしても、外層体と内層体との相互間の空気が外気導入孔から漏れてしまい、内層体を十分に減容させることができないため、内容物の吐出が難しくなるという不具合があった。このため、この点を改良した新たな二重容器が望まれていた。
【０００９】
本発明は、このような従来の問題点を解決することを課題とするものであり、その目的は、内容物をその自重で吐出させることができる二重容器において、ピンチオフ部に設けた外気導入孔の開口幅を適切な大きさに形成し、外層体のスクイズによるスムーズな吐出を実現する二重容器を提案するところにある。
【課題を解決するための手段】
【００１０】
本発明は、上記課題を解決するためになされたものであり、本発明の二重容器は、口部、胴部及び底部を有するボトル状をなし、容器の外殻を形成する外層体と、該外層体の内側に収められる減容変形自在な内層体とを備え、
ブロー成形の割り金型による食い切りによって前記底部に形成されるピンチオフ部に、前記外層体を貫通する直線状のスリットを有する二重容器において、
前記底部は、前記スリットの延在方向における少なくとも中央の領域を、該スリットの両側から挟み込むように配置された、前記口部側に向けて凹となる一対の挟み込み凹部を有することを特徴とする。
【００１１】
なお、本発明の二重容器にあっては、前記一対の挟み込み凹部はそれぞれ、前記スリットに平行、かつ、容器の中心軸線方向に平行に延びる内側平面を有し、それぞれの該内側平面で前記スリットを両側から挟み込むことが好ましい。
【００１２】
また、本発明の二重容器にあっては、前記底部は、前記ピンチオフ部において、前記スリットの延在方向における両端部外側に、該スリットの延長線に沿って延在する一対の補強リブを備えることが好ましい。
【発明の効果】
【００１３】
本発明によれば、内容物をその自重で吐出させることができる二重容器において、ピンチオフ部に設けた外気導入孔の開口幅を適切な大きさに形成し、外層体のスクイズによるスムーズな吐出を実現する二重容器を提供することが可能となる。
【図面の簡単な説明】
【００１４】
【図１】本発明の一実施形態に係る二重容器を一部断面で示した正面図である。
【図２】（ａ）は、図１における二重容器の側面図であり、（ｂ）は、図１に示す二重容器の底面図である。
【図３】（ａ）は、図１に示す二重容器を成形するための金型を示す断面図であり、（ｂ）は、図３（ａ）の金型でパリソンを切断する様子を表す図である。
【図４】（ａ）は、参考例としての二重容器の製造過程における、パリソンと金型との関係を示す断面図であり、（ｂ）は、図４（ａ）との比較のために示したパリソンと金型との関係を示す断面図である。
【発明を実施するための形態】
【００１５】
以下、図面を参照して、本発明をより具体的に例示説明する。図１は、本発明の一実施形態に係る二重容器を、部分的に断面で表した正面図である。
【００１６】
二重容器１は、容器の外殻を形成する外層体１０と、外層体１０の内側に収められる減容変形自在な内層体２０とを備え、外層体１０と内層体２０の間には、これら外層体１０及び内層体２０を互いに接合する接着帯３０が設けられている。
【００１７】
ここで、本実施形態における二重容器１は、合成樹脂製の外層体１０と、外層体１０に対して相溶性が低い合成樹脂にて形成される内層体２０と、外層体１０及び内層体２０に対して接着性を有する合成樹脂にて形成される帯状の接着層、すなわち、接着帯３０とを積層させたものであり、これらの合成樹脂を積層して形成したパリソンを、ブロー成形することによって得られたものである。ここで、本実施形態の二重容器１においては、外層体１０を外側の低密度ポリエチレン（ＬＤＰＥ）と内側のポリプロピレン樹脂（ＰＰ）の２層構造とし、内層体２０を外側のエチレンビニルアルコール共重合樹脂（ＥＶＯＨ）と内側の変性ポリオレフィン樹脂（三井化学株式会社製「アドマー」（登録商標））の２層構造としている。また、接着帯３０を変性ポリオレフィン樹脂（「アドマー」（登録商標））で構成している。なお、本実施形態では、スクイズ性を付与するため、外層体１０の外側の層を低密度ポリエチレン（ＬＤＰＥ）で構成しているが、ポリプロピレン樹脂（ＰＰ）、中密度ポリエチレン樹脂（ＭＤＰＥ）、又は高密度ポリエチレン樹脂（ＨＤＰＥ）とすることも可能である。また、本実施形態の外層体１０を構成するポリプロピレン樹脂（ＰＰ）の層は、内層体２０の剥離性を向上するために設けたものであり、必ずしも必要なものではない。さらに、上記の層構成は一例であり、外層体１０に対して内層体２０が剥離可能であれば、外層体１０、内層体２０、及び接着帯３０の材料は特に限定されるものではなく、それぞれ単層構造としても良いし、多層構造としても良い。
【００１８】
外層体１０は、復元自在な可撓性を有するものであり、外層体１０の底部を形成する底壁１１と、底壁１１の外縁に連結して外層体１０の胴部を形成する側壁１２と、側壁１２の上部に連結するともに円筒状をなし外層体１０の口部を形成する口部壁１３とを備えている。内層体２０は、その内側に内容物を充填可能とする充填空間Ｍを有するものであり、積層された外層体１０から剥離させることで減容変形させることができる。
【００１９】
なお、本実施形態において側壁１２は、横断面が円形であり、口部壁１３に向けて縮径する筒形状としているが、これに限定されず、例えば、横断面が多角形や楕円形等の形状とすることができる。また、口部壁１３には、蓋体等を装着するためのねじ部１３ａが設けられている。
【００２０】
図１、及び図２（ａ）、（ｂ）に示すように、底壁１１は、接地面となる円環状の外縁部１１ａと、外縁部１１ａの径方向内側で口部壁１３側に凹となる凹部１１ｂとを有する。凹部１１ｂにおける中央域には、外層体１０の内外を貫通し直線状に延在する、外気導入孔としてのスリット１４が形成されている。
【００２１】
また、底壁１１の凹部１１ｂには、スリット１４の延在方向における中央の領域を、両側から挟み込むように配置された、口部壁１３側に凹となる一対の挟み込み凹部１７が形成されている。図２（ａ）に示すように、一対の挟み込み凹部１７の深さは、径方向外側から内側に向けて徐々に深くなっている。また、図２（ｂ）に示すように、一対の挟み込み凹部１７は、平面視で略半円形状であり、スリット１４を延長した直線Ｌに対して線対照形状とされている。
【００２２】
また、本実施形態において、一対の挟み込み凹部１７はそれぞれ、スリット１４に平行、かつ、容器の中心軸線Ｃ方向に平行に延びる内側平面１７ａを有し、それぞれの内側平面１７ａでスリット１４を両側から挟み込む構成としている。なお、本発明において、一対の挟み込み凹部１７の形状は特に限定されるものではなく、スリット１４の延在方向における中央領域を挟む形状であれば、必ずしも平面視で線対照形状である必要はない。
【００２３】
また、スリット１４の両端部１４ａ、１４ｂの外側には、スリット１４の延長線Ｌに沿って延在する一対の補強リブ１５ａ、１５ｂが設けられている。ここで、スリット１４及び一対の補強リブ１５ａ、１５ｂは、ブロー成形の割り金型による食い切りによって形成されるピンチオフ部に形成されている。すなわち、一対の補強リブ１５ａ、１５ｂは、割り金型にて外層体１０と内層体２０とを挟み込んで扁平に押し潰すことにより形成される。また、スリット１４は、割り金型にてパリソンの底部中央域を食い切り、ブロー成形後に外層体１０の底壁１１を割り、内層体２０を外層体１０から剥離させることにより形成される。
【００２４】
ここで、本実施形態においては、スリット１４の両側に一対の挟み込み凹部１７を有する構成としたため、図３（ａ）に示すように、ブロー成形の割り金型１８には、当該挟み込み凹部１７に対応する形状の挟み込み突起１９が設けられることとなる。また、それぞれの挟み込み突起１９は、挟み込み凹部１７の内側平面１７ａに対応する内側平面１９ａを有している。そして、成形の過程で金型１８を閉じる際には、図３（ｂ）に示すように、挟み込み突起１９の内側平面１９ａでパリソンＰの外面を両側から挟み込むこととなる。これにより、型締めの際にパリソンＰの傾きを補正して適切な角度で切断することができるので、ピンチオフ部の切断面における内層体２０の厚さが、所期した通りの厚さとなる。その結果、外層体１０から内層体２０を剥離して形成されるスリット１４の開口幅を所期した大きさに形成することができる。
【００２５】
なお、例えば、補強リブ１５ａ、１５ｂに、一方側の側面から他方側に食い込む、補強用の食い込み部が設けられた構成である場合、当該食い込み部形成用のピンが金型に設けられ、当該ピンに押されてパリソンＰが傾きそうになったとしても、少なくともスリット１４の中央領域では挟み込み突起１９によってパリソンＰの傾きが補正されるため、スリット１４の開口幅は所期した大きさに形成することができる。ここで、スリット１４の開口幅は、スリット１４の延在方向における中央領域で拡がり易いため、本発明における挟み込み凹部１７は、少なくとも当該スリット１４の中央領域を挟み込む構成としているものの、挟み込み凹部１７の長さは特に限定されず、例えば、スリット１４の長さよりも長い形状としてもよい。また、パリソンＰの姿勢をより効果的に補正するため、挟み込み突起１９の内側平面１９ａに対応する挟み込み凹部１７の内側平面１７ａは、スリット１４に平行、かつ、容器の中心軸線Ｃ方向に平行に延びることが好ましい。
【００２６】
ブロー成形後に外層体１０の底壁１１を割り、スリット１４を形成する方法としては、一対の補強リブ１５ａ、１５ｂを口部壁１３側に向けて押圧する方法があり、これによれば、容易に外層体１０の底壁１１を割るとともに内層体２０を外層体１０から剥離させて、スリット１４を形成することができる。この時、補強リブ１５ａ、１５ｂはスリット１４の部分に比べて剛性が高いため、スリット１４となる外層体１０の亀裂が、補強リブ１５ａ、１５ｂの根元であるスリット１４の両端部１４ａ、１４ｂでとどまり、所期した長さのスリット１４を形成することができる。なお、本発明において、各補強リブ１５ａ、１５ｂは必須の構成ではなく、その形状、数、位置は特に限定されるものではない。
【００２７】
本実施形態において、側壁１２には、接着帯３０が１本のみ設けられており、当該接着帯３０は、一方の補強リブ１５ｂの近接域から容器の中心軸線Ｃ方向に沿って延在し、口部壁１３まで延びている。なお、接着帯３０の終端部は、補強リブ１５ｂに重なっていても良いし、補強リブ１５ｂの手前で終端していても良い。本実施形態において、接着帯３０は、スリット１４の延長線Ｌに沿って、また、割り金型１８によって形成される側壁１２のパーティングラインに沿って延在し、接着帯３０の底壁１１側の終端部は、補強リブ１５ｂの外端部に重なっている。接着帯３０の長さ、幅、本数は特に限定されるものではなく適宜変更が可能である。さらに、接着帯３０は、直線状に延在することに限らず、屈曲部や湾曲部を有していても良い。なお、本発明において、接着帯３０は必須の構成ではなく、一対の補強リブ１５ａ、１５ｂのうち、一方の補強リブ１５ｂ側のみに設けても良いし、両側に設けても良い。本実施形態においては、一方の補強リブ１５ｂの近接域に接着帯３０を設けたことにより、当該補強リブ１５ｂの接着性が強くなって、より亀裂が生じ難く、また、割れた場合においてもスクイズ時に開き難くなっている。
【００２８】
本実施形態の二重容器１の口部には、注出キャップ４０がねじ係合により装着されている。注出キャップ４０は、口部壁１３に係合保持され、注出栓４１と、注出栓４１にヒンジ４２を介して連結され、当該注出栓４１の開閉を行う蓋体４３とを備える。なお、ヒンジ４２を設けずに、蓋体４３を別体として形成し、注出栓４１にねじ係合やアンダーカット係合させる構成としてもよい。
【００２９】
注出栓４１は、口部壁１３の外周面に対してアンダーカット係合する装着筒４４と、装着筒４４の上部を覆う隔壁４５と、隔壁４５から上方に立設し、内側が充填空間Ｍに繋がる注出筒４６とを備える。注出筒４６の下方には、円筒壁４７が連なっており、円筒壁４７の内周面には、周方向に間隔をあけて設けられる複数の縦リブ４８を設けている。縦リブ４８の径方向内側には、球状体４９が配置され、縦リブ４８の上端に設けた膨出部によって抜け止め保持されている。円筒壁４７の下部には、下方に向けて縮径する傾斜壁４７ａを設けている。ここで、球状体４９は、縦リブ４８に沿って自重にて移動するものであり、図１に示すように二重容器１が起立姿勢にあるときは傾斜壁４７ａと全周にわたって当接して、内層体２０の充填空間Ｍを封止している。
【００３０】
蓋体４３は、注出栓４１の上方を覆う頂壁５０の外縁部に周壁５１を連結したものであり、周壁５１はヒンジ４２によって装着筒４４に連結されている。また、頂壁５０の下面には、注出筒４６と液密に当接するシール筒５２を設けている。また、シール筒５２の径方向内側には、下方に向けて延びるピン５３を設けている。ピン５３は、球状体４９が上方へ変位する際、上限に至る手前で球状体４９に当接するように設けられている。これにより、輸送等によって球状体４９が勢いよく上方に移動しても、縦リブ４８の上端に設けた膨出部を越えて外れてしまうことがない。
【００３１】
注出キャップ４０を装着した二重容器１から内容物を吐出するにあたっては、蓋体４３を開いて二重容器１を傾倒或いは倒立姿勢にすることで、球状体４９は注出筒４６側に変位し、充填空間Ｍ内の内容物は自重により傾斜壁４７ａの開口から縦リブ４８の相互間を通り抜けて注出筒４６より吐出される。この際、外層体１０と内層体２０との相互間にはスリット１４を通して外気が導入されるので、外層体１０はその形状を保ったまま、内層体２０のみが減容することとなる。
【００３２】
内容物の吐出が進んで残量が減ってくると、内容物全体の重量が少なくなることから、二重容器１を傾けるだけでは内容物が吐出され難くなる。そこで、側壁１２を両側から挟むようにして外層体１０をスクイズする。
【００３３】
上述のように、スリット１４は、外層体１０と内層体２０との相互間に外気を導入するものであるが、スクイズにより内容物を吐出する際には、内層体２０を十分に押圧するために、スリット１４から漏れ出す空気の量が出来る限り少ないことが好ましい。
【００３４】
ここで、本実施形態の二重容器１にあっては、上述のように、スリット１４の両側に一対の挟み込み凹部１７を有する構成として、スリット１４の開口幅を所期した大きさに形成することにより、スクイズ時に、外層体１０と内層体２０の間の空気がスリット１４から漏れ出し難くなり、内層体２０は十分に押圧されることになるので、自重では吐出され難くなった内容物も最後まで吐出させることができる。なお、押圧を解除すれば、外層体１０がその剛性によって復元し、外層体１０と内層体２０との相互間にはスリット１４を通じて外気が十分に導入される。よって、本発明の二重容器１によれば、内容物をその自重で吐出させることができ、しかも内容物の残量が少なくなった際には外層体１０のスクイズによるスムーズな吐出を実現することができる。また、外気導入弁も不要であるため、コストの増大を招くこともない。なお、本実施形態の二重容器１にあっては、用途に応じて、初めから外層体１０をスクイズして内容物を吐出することも可能である。
【００３５】
また、本実施形態にあっては、スリット１４の両側に、補強リブ１５ａ、１５ｂを設けたことにより、スリット１４の両端部１４ａ、１４ｂの強度を高め、成形時、また、繰返し使用時にも、スリット１４の両端部１４ａ、１４ｂから亀裂が進展することを防止することができる。これにより、外気導入孔としてのスリット１４の長さを、所期した長さに形成することができる。その結果、スリット１４の機能をより有効に発揮して、よりスムーズな内容物の吐出が可能となる。
【００３６】
本実施形態の二重容器１にあっては、接着帯３０を一方の補強リブ１５ｂの近接域に設けたことにより、接着帯３０を設けた側の補強リブ１５ｂは接着性が強くなっているため、亀裂の発生、進展を防止することができ、スリット１４を所望の長さに設定する効果を高めることができる。
【００３７】
以上、図示例に基づき説明したが、本発明は上述の実施形態に限定されるものでなく、特許請求の範囲の記載範囲内で適宜変更することができるものであり、例えば、口部壁１３に打栓用の係合突起を設けて、ねじ係合ではなく、打栓により注出キャップをアンダーカット係合させる構成としても良い。
【符号の説明】
【００３８】
１  二重容器
１０  外層体
１１  底壁
１１ａ  外縁部（接地面）
１１ｂ  凹部
１２  側壁
１３  口部壁
１４  スリット
１４ａ、１４ｂ  スリットの端部
１５ａ、１５ｂ  補強リブ
１７  挟み込み凹部
１７ａ  内側平面
１８  割り金型
１９  挟み込み突起
２０  内層体
３０  接着帯
４０  注出キャップ
４１  注出栓
４２  ヒンジ
４３  蓋体
４４  装着筒
４５  隔壁
４６  注出筒
４７  円筒壁
４７ａ  傾斜壁
４８  縦リブ
４９  球状体
５０  頂壁
５１  周壁
５２  シール筒
５３  ピン
Ｃ  容器の中心軸線
Ｌ  スリットに沿う延長線
Ｍ  充填空間
Ｐ  パリソン
【図１】
0006553363.tif 000002
【図２】
0006553363.tif 000003
【図３】
0006553363.tif 000004
【図４】
0006553363.tif 000005